【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
レーザ光により光ディスクに情報を記録する光ピックアップと、
前記光ピックアップを発光させるレーザ駆動部と、
１つの記録マークを形成する発光パルス群のうち、前記発光パルス群の先頭に位置するトップパルスのパルス幅を決定し、前記光ピックアップの発光パターンを生成する記録パターン生成部と、
前記発光パターンに基づき前記レーザ駆動部を制御する制御部と、を備え、
前記制御部は、前記記録パターン生成部で生成した前記トップパルスのパルス幅が所定値以下の場合、前記トップパルスのパルス幅を所定のパルス幅に変更することを特徴とする光ディスク装置。
【請求項２】
レーザ光により光ディスクに情報を記録する光ピックアップと、
前記光ピックアップを発光させるレーザ駆動部と、
１つの記録マークを形成する発光パルス群のうち、前記発光パルス群の最後尾に位置し前記光ピックアップをピークパワーで発光させるラストパルスのパルス幅を決定し、前記光ピックアップの発光パターンを生成する記録パターン生成部と、
前記発光パターンに基づき前記レーザ駆動部を制御する制御部と、を備え、
前記制御部は、前記記録パターン生成部で生成した前記ラストパルスのパルス幅が所定値以下の場合、前記ラストパルスのパルス幅を所定のパルス幅に変更することを特徴とする光ディスク装置。
【請求項３】
レーザ光により光ディスクに情報を記録する光ピックアップと、
前記光ピックアップを発光させるレーザ駆動部と、
１つの記録マークを形成する発光パルス群のうち、前記発光パルス群の最後尾に位置し前記光ピックアップをボトムパワーで発光させるクーリングパルスのパルス幅を決定し、前記光ピックアップの発光パターンを生成する記録パターン生成部と、
前記発光パターンに基づき前記レーザ駆動部を制御する制御部と、を備え、
前記制御部は、前記記録パターン生成部で生成した前記クーリングパルスのパルス幅が所定値以下の場合、前記クーリングパルスのパルス幅を所定のパルス幅に変更することを特徴とする光ディスク装置。
【請求項４】
前記所定のパルス幅は、
所定の記録マークを形成するために必要な発光量が最低限確保できる発光限界パルス幅であることを特徴とする請求項１〜３のいずれかに記載の光ディスク装置。
【請求項５】
前記光ピックアップは、
ブルーレイ用ディスク対応であることを特徴とする請求項１〜４のいずれかに記載の光ディスク装置。
【請求項６】
１つの記録マークを形成する発光パルス群のうち、前記発光パルス群の先頭に位置するトップパルスのパルス幅を決定し、光ピックアップの発光パターンを生成し、前記発光パターンに基づき前記光ピックアップを発光させる光ディスク装置の記録方法であって、
前記トップパルスのパルス幅が所定値以下の場合、前記トップパルスのパルス幅を所定のパルス幅に変更することを特徴とする光ディスク装置の記録方法。
【請求項７】
１つの記録マークを形成する発光パルス群のうち、前記発光パルス群の最後尾に位置し前記光ピックアップをピークパワーで発光させるラストパルスのパルス幅を決定し、光ピックアップの発光パターンを生成し、前記発光パターンに基づき前記光ピックアップを発光させる光ディスク装置の記録方法であって、
前記ラストパルスのパルス幅が所定値以下の場合、前記ラストパルスのパルス幅を所定のパルス幅に変更することを特徴とする光ディスク装置の記録方法。
【請求項８】
１つの記録マークを形成する発光パルス群のうち、前記発光パルス群の最後尾に位置し前記光ピックアップをボトムパワーで発光させるクーリングパルスのパルス幅を決定し、光ピックアップの発光パターンを生成し、前記発光パターンに基づき前記光ピックアップを発光させる光ディスク装置の記録方法であって、
前記クーリングパルスのパルス幅が所定値以下の場合、前記クーリングパルスのパルス幅を所定のパルス幅に変更することを特徴とする光ディスク装置の記録方法。
【請求項９】
前記所定のパルス幅は、
所定の記録マークを形成するために必要な発光量が最低限確保できる発光限界パルス幅であることを特徴とする請求項６〜８のいずれかに記載の光ディスク装置の記録方法。
【請求項１０】
前記光ピックアップは、
ブルーレイ用ディスク対応であることを特徴とする請求項６〜９のいずれかに記載の光ディスク装置の記録方法。
【手続補正２】
【補正対象書類名】明細書
【補正対象項目名】００１６
【補正方法】変更
【補正の内容】
【００１６】
本発明は、上記課題を解決するためになされたものであり、レーザ光により光ディスクに情報を記録する光ピックアップと、光ピックアップを発光させるレーザ駆動部と、１つの記録マークを形成する発光パルス群のうち、発光パルス群の先頭に位置するトップパルスのパルス幅を決定し、光ピックアップの発光パターンを生成する記録パターン生成部と、発光パターンに基づきレーザ駆動部を制御する制御部と、を備え、制御部は、記録パターン生成部で生成したトップパルスのパルス幅が所定値以下の場合、トップパルスのパルス幅を所定のパルス幅に変更することを特徴とするものである。
【手続補正３】
【補正対象書類名】明細書
【補正対象項目名】００１７
【補正方法】変更
【補正の内容】
【００１７】
また、レーザ光により光ディスクに情報を記録する光ピックアップと、光ピックアップを発光させるレーザ駆動部と、１つの記録マークを形成する発光パルス群のうち、発光パルス群の最後尾に位置し光ピックアップをピークパワーで発光させるラストパルスのパルス幅を決定し、光ピックアップの発光パターンを生成する記録パターン生成部と、発光パターンに基づきレーザ駆動部を制御する制御部と、を備え、制御部は、記録パターン生成部で生成したラストパルスのパルス幅が所定値以下の場合、ラストパルスのパルス幅を所定のパルス幅に変更することを特徴とするものである。
【手続補正４】
【補正対象書類名】明細書
【補正対象項目名】００１８
【補正方法】変更
【補正の内容】
【００１８】
更に、レーザ光により光ディスクに情報を記録する光ピックアップと、光ピックアップを発光させるレーザ駆動部と、１つの記録マークを形成する発光パルス群のうち、発光パルス群の最後尾に位置し光ピックアップをボトムパワーで発光させるクーリングパルスのパルス幅を決定し、光ピックアップの発光パターンを生成する記録パターン生成部と、発光パターンに基づきレーザ駆動部を制御する制御部と、を備え、制御部は、記録パターン生成部で生成したクーリングパルスのパルス幅が所定値以下の場合、クーリングパルスのパルス幅を所定のパルス幅に変更することを特徴とするものである。
【手続補正５】
【補正対象書類名】明細書
【補正対象項目名】００１９
【補正方法】変更
【補正の内容】
【００１９】
本発明は上記構成により、１つの記録マークを形成するための発光パルス群のうち、トップパルスまたはラストパルスまたはクーリングパルスのパルス幅を決定するライトストラテジの最適化処理において、決定されたトップパルスまたはラストパルスまたはクーリングパルスの少なくとも１つのパルス幅が光ピックアップで記録マークを形成するために必要な発光量を最低限確保できる発光限界パルス幅未満であるとき、トップパルスまたはラストパルスまたはクーリングパルスが所定のパルス幅に変更されることによって、トップパルス幅またはラストパルス幅またはクーリングパルス幅の少なくとも１つが光ピックアップで記録マークを形成するために必要な発光量を最低限確保できる発光限界パルス幅未満になることを防止することができる。
【手続補正６】
【補正対象書類名】明細書
【補正対象項目名】００２１
【補正方法】変更
【補正の内容】
【００２１】
請求項１記載の発明は、レーザ光により光ディスクに情報を記録する光ピックアップと、光ピックアップを発光させるレーザ駆動部と、１つの記録マークを形成する発光パルス群のうち、その発光パルス群の先頭に位置するトップパルスのパルス幅を決定し、光ピックアップの発光パターンを生成する記録パターン生成部と、発光パターンに基づきレーザ駆動部を制御する制御部と、を備え、制御部は、記録パターン生成部で生成したトップパルスのパルス幅が所定値以下の場合、トップパルスのパルス幅を所定のパルス幅に変更することを特徴とするものである。これにより、トップパルスのパルス幅が光ピックアップで記録マークを形成するために必要な発光量が最低限確保できる発光限界パルス幅未満にならないので、長さ２Ｔや３Ｔの短い記録マークを多用するブルーレイ用ディスクなどの高密度記録対応光ディスクに記録する場合であっても、発光パターンにおけるトップパルスのパルス幅が光ピックアップで記録マークを形成するために必要な発光量を最低限確保できる発光限界パルス幅未満になることを回避することができ、所望の長さの記録マークを正しく形成することが可能な光ディスク装置を実現することができる。
【手続補正７】
【補正対象書類名】明細書
【補正対象項目名】００２２
【補正方法】変更
【補正の内容】
【００２２】
請求項２記載の発明は、レーザ光により光ディスクに情報を記録する光ピックアップと、光ピックアップを発光させるレーザ駆動部と、１つの記録マークを形成する発光パルス群のうち、発光パルス群の最後尾に位置し光ピックアップをピークパワーで発光させるラストパルスのパルス幅を決定し、光ピックアップの発光パターンを生成する記録パターン生成部と、発光パターンに基づきレーザ駆動部を制御する制御部と、を備え、制御部は、記録パターン生成部で生成したラストパルスのパルス幅が所定値以下の場合、ラストパルスのパルス幅を所定のパルス幅に変更することを特徴とするものである。これにより、ラストパルスのパルス幅が光ピックアップで記録マークを形成するために必要な発光量を最低限確保できる発光限界パルス幅未満にならないので、長さ２Ｔや３Ｔの短い記録マークを多用するブルーレイ用ディスクなどの高密度記録対応光ディスクに記録する場合であっても、発光パターンにおけるラストパルスのパルス幅が光ピックアップで記録マークを形成するために必要な発光量を最低限確保できる発光限界パルス幅未満になることを回避することができ、所望の長さの記録マークを正しく形成することが可能な光ディスク装置を実現することができる。
【手続補正８】
【補正対象書類名】明細書
【補正対象項目名】００２３
【補正方法】変更
【補正の内容】
【００２３】
請求項３記載の発明は、レーザ光により光ディスクに情報を記録する光ピックアップと、光ピックアップを発光させるレーザ駆動部と、１つの記録マークを形成する発光パルス群のうち、発光パルス群の最後尾に位置し光ピックアップをボトムパワーで発光させるクーリングパルスのパルス幅を決定し、光ピックアップの発光パターンを生成する記録パターン生成部と、発光パターンに基づきレーザ駆動部を制御する制御部と、を備え、制御部は、記録パターン生成部で生成したクーリングパルスのパルス幅が所定値以下の場合、クーリングパルスのパルス幅を所定のパルス幅に変更することを特徴とするものである。これにより、クーリングパルスのパルス幅が光ピックアップで記録マークを形成するために必要な発光量を最低限確保できる発光限界パルス幅未満にならないので、長さ２Ｔや３Ｔの短い記録マークを多用するブルーレイ用ディスクなどの高密度記録対応光ディスクに記録する場合であっても、発光パターンにおけるクーリングパルスのパルス幅が光ピックアップで記録マークを形成するために必要な発光量を最低限確保できる発光限界パルス幅未満になることを回避することができ、所望の長さの記録マークを正しく形成することが可能な光ディスク装置を実現することができる。
【手続補正９】
【補正対象書類名】明細書
【補正対象項目名】００２４
【補正方法】変更
【補正の内容】
【００２４】
請求項４記載の発明は、所定のパルス幅が、所定の記録マークを形成するために必要な発光量が最低限確保できる発光限界パルス幅であることを特徴とするものである。これにより、所望の長さの記録マークを確実に正しく形成することができる。
【手続補正１０】
【補正対象書類名】明細書
【補正対象項目名】００２５
【補正方法】変更
【補正の内容】
【００２５】
請求項５記載の発明は、光ピックアップが、ブルーレイ用ディスク対応であることを特徴とするものである。これにより、記録長さが短い記録マークに対して特に顕著な効果を得ることができる。
【手続補正１１】
【補正対象書類名】明細書
【補正対象項目名】００２６
【補正方法】変更
【補正の内容】
【００２６】
請求項６記載の発明は、１つの記録マークを形成する発光パルス群のうち、発光パルス群の先頭に位置するトップパルスのパルス幅を決定し、光ピックアップの発光パターンを生成し、発光パターンに基づき光ピックアップを発光させる光ディスク装置の記録方法であって、トップパルスのパルス幅が所定値以下の場合、トップパルスのパルス幅を所定のパルス幅に変更することを特徴とするものである。これにより、トップパルスのパルス幅が光ピックアップで記録マークを形成するために必要な発光量が最低限確保できる発光限界パルス幅未満にならないので、長さ２Ｔや３Ｔの短い記録マークを多用するブルーレイ用ディスクなどの高密度記録対応光ディスクに記録する場合であっても、発光パターンにおけるトップパルスのパルス幅が光ピックアップで記録マークを形成するために必要な発光量を最低限確保できる発光限界パルス幅未満になることを回避することができ、所望の長さの記録マークを正しく形成することが可能な光ディスク装置の記録方法を実現することができる。
【手続補正１２】
【補正対象書類名】明細書
【補正対象項目名】００２７
【補正方法】変更
【補正の内容】
【００２７】
請求項７記載の発明は、１つの記録マークを形成する発光パルス群のうち、発光パルス群の最後尾に位置し光ピックアップをピークパワーで発光させるラストパルスのパルス幅を決定し、光ピックアップの発光パターンを生成し、発光パターンに基づき光ピックアップを発光させる光ディスク装置の記録方法であって、ラストパルスのパルス幅が所定値以下の場合、ラストパルスのパルス幅を所定のパルス幅に変更することを特徴とするものである。これにより、ラストパルスのパルス幅が光ピックアップで記録マークを形成するために必要な発光量を最低限確保できる発光限界パルス幅未満にならないので、長さ２Ｔや３Ｔの短い記録マークを多用するブルーレイ用ディスクなどの高密度記録対応光ディスクに記録する場合であっても、発光パターンにおけるラストパルスのパルス幅が光ピックアップで記録マークを形成するために必要な発光量を最低限確保できる発光限界パルス幅未満になることを回避することができ、所望の長さの記録マークを正しく形成することが可能な光ディスク装置の記録方法を実現することができる。
【手続補正１３】
【補正対象書類名】明細書
【補正対象項目名】００２８
【補正方法】変更
【補正の内容】
【００２８】
請求項８記載の発明は、１つの記録マークを形成する発光パルス群のうち、発光パルス群の最後尾に位置し光ピックアップをボトムパワーで発光させるクーリングパルスのパルス幅を決定し、光ピックアップの発光パターンを生成し、発光パターンに基づき光ピックアップを発光させる光ディスク装置の記録方法であって、クーリングパルスのパルス幅が所定値以下の場合、クーリングパルスのパルス幅を所定のパルス幅に変更することを特徴とするものである。これにより、クーリングパルスのパルス幅が光ピックアップで記録マークを形成するために必要な発光量を最低限確保できる発光限界パルス幅未満にならないので、長さ２Ｔや３Ｔの短い記録マークを多用するブルーレイ用ディスクなどの高密度記録対応光ディスクに記録する場合であっても、発光パターンにおけるクーリングパルスのパルス幅が光ピックアップで記録マークを形成するために必要な発光量を最低限確保できる発光限界パルス幅未満になることを回避することができ、所望の長さの記録マークを正しく形成することが可能な光ディスク装置の記録方法を実現することができる。
【手続補正１４】
【補正対象書類名】明細書
【補正対象項目名】００２９
【補正方法】変更
【補正の内容】
【００２９】
請求項９記載の発明は、所定のパルス幅が、所定の記録マークを形成するために必要な発光量が最低限確保できる発光限界パルス幅であることを特徴とするものである。これにより、所望の長さの記録マークを確実に正しく形成することができる。
【手続補正１５】
【補正対象書類名】明細書
【補正対象項目名】００３０
【補正方法】変更
【補正の内容】
【００３０】
請求項１０記載の発明は、光ピックアップが、ブルーレイ用ディスク対応であることを特徴とするものである。これにより、記録長さが短い記録マークに対して特に顕著な効果を得ることができる。